(57)【特許請求の範囲】
【請求項１】
表示面に配置される画素によって画像を表示する表示素子と、
前記各画素に対応する光を空間的に分離させる光学素子と、
を備え、
前記画素を構成する複数の色のそれぞれに対応する実質的な開口幅は、前記光学素子による前記表示面における集光幅が大きい色ほど大きく設定される表示装置。
【請求項２】
前記光学素子は、液晶表示装置である、請求項１に記載の表示装置。
【請求項３】
前記光学素子は、レンチキュラレンズであり、
前記開口幅は、前記各色の前記レンチキュラレンズにおける焦点距離の差によって生じる前記集光幅の差に基づいて設定される、請求項１に記載の表示装置。
【請求項４】
前記開口幅は、前記焦点距離が前記光学素子の機能面と前記表示面との距離に近い色ほど小さく設定される、請求項３に記載の表示装置。
【請求項５】
前記光学素子は、パララックスバリアであり、
前記開口幅は、前記各色の前記パララックスバリアの開口部における回折度の差によって生じる前記集光幅の差に基づいて設定される、請求項１に記載の表示装置。
【請求項６】
前記開口幅は、光の波長が短い色ほど小さく設定される、請求項５に記載の表示装置。
【請求項７】
前記表示素子は、透過型ディスプレイであり、
前記開口幅は、前記透過型ディスプレイにおいて前記各色の光を透過させる領域の幅によって規定される、請求項１に記載の表示装置。
【請求項８】
前記表示素子は、自発光型ディスプレイであり、
前記開口幅は、前記自発光型ディスプレイにおける前記各色の発光領域の幅によって規定される、請求項１に記載の表示装置。
【請求項９】
表示面に配置される画素によって画像を表示する表示素子と、
前記各画素に対応する光を空間的に分離させる光学素子と、
を含み、
前記画素を構成する複数の色のそれぞれに対応する実質的な開口幅は、前記光学素子による前記表示面における集光幅が大きい色ほど大きく設定される表示装置
を備える電子機器。
【発明の詳細な説明】
【技術分野】
【０００１】
本開示は、表示装置および電子機器に関する。
【背景技術】
【０００２】
パララックスバリアやレンチキュラレンズなどを用いて光を空間的に分離し、表示される画像を複数の視点画像に分割して観察者に呈示する技術が知られている。かかる技術は、例えば、観察者の左右の眼に視差を与えた画像を呈示する立体表示装置や、観察方向によって異なる画像を表示する指向性表示装置などに利用されている。
【０００３】
こうした表示装置において、パララックスバリアやレンチキュラレンズを、液晶などを用いて電子的に構成する技術も知られている。こうした技術は、例えば特許文献１などに記載されている。このようにすることで、例えば、パララックスバリアやレンチキュラレンズのピッチや方向などを自由に調整することができるという利点がある。
【先行技術文献】
【特許文献】
【０００４】
【特許文献１】特開２０１１−２５７６１９号公報
【発明の概要】
【発明が解決しようとする課題】
【０００５】
上記のような表示装置では、例えば光の波長分散による色収差が発生する場合がある。光の屈折率は波長によって異なるため、例えばレンチキュラレンズを用いる場合、各色の光で焦点距離が異なる。それゆえ、画素部分に焦点距離が合う色とそうでない色とが生じ、観察される画像に特定の色が強く現れる場合がある。このような現象は、色づきとも呼ばれ、観察される画像の画質を劣化させる。
【０００６】
そこで、本開示では、光を空間的に分離させる光学素子によって発生する画像の色づきを低減させることが可能な、新規かつ改良された表示装置および電子機器を提案する。
【課題を解決するための手段】
【０００７】
本開示によれば、表示面に配置される画素によって画像を表示する表示素子と、上記各画素に対応する光を空間的に分離させる光学素子と、を含み、上記画素を構成する複数の色のそれぞれに対応する実質的な開口幅は、上記光学素子による上記表示面における集光幅が大きい色ほど大きく設定される表示装置が提供される。
【０００８】
また、本開示によれば、表示面に配置される画素によって画像を表示する表示素子と、上記各画素に対応する光を空間的に分離させる光学素子と、を含み、上記画素を構成する複数の色のそれぞれに対応する実質的な開口幅は、上記光学素子による上記表示面における集光幅が大きい色ほど大きく設定される表示装置を有する電子機器が提供される。
【０００９】
各色の実質的な開口幅に差を設けることによって、各色の光の強度を制御することが可能である。これによって、各色の光が光学素子を通過することによって生じる集光幅の差に起因する光の強度の差を補正することができる。その結果として、観察される画像では、色づきが少ない良好な画質を実現することができる。
【発明の効果】
【００１０】
以上説明したように本開示によれば、光を空間的に分離させる光学素子によって発生する画像の色づきを低減させることができる。
【図面の簡単な説明】
【００１１】
【図１】本開示の第１の実施形態に係る表示装置の構成を概略的に示す図である。
【図２】レンチキュラレンズを用いる表示装置における色づきの発生原理について説明するための図である。
【図３】本開示の第１の実施形態に係る表示装置における色づき抑制のための構成の第１の例について説明するための図である。
【図４】本開示の第１の実施形態に係る表示装置における色づき抑制のための構成の第２の例について説明するための図である。
【図５】本開示の第１の実施形態に係る表示装置における色づき抑制のための構成の第３の例について説明するための図である。
【図６】本開示の第１の実施形態の変形例における色づき抑制のための構成例について説明するための図である。
【図７】本開示の第２の実施形態に係る表示装置の構成を概略的に示す図である。
【図８】パララックスバリアを用いる表示装置における色づきの発生原理について説明するための図である。
【図９】図８の例における光の回折現象について説明するためのグラフである。
【図１０】本開示の第２の実施形態に係る表示装置における色づき抑制のための構成の例について説明するための図である。
【図１１】本開示の第２の実施形態の変形例における色づき抑制のための構成例について説明するための図である。
【図１２】本開示の実施形態に係る表示装置を有する電子機器の外観を示す図である。
【図１３】本開示の実施形態に係る表示装置を有する電子機器の外観を示す図である。
【発明を実施するための形態】
【００１２】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１３】
なお、説明は以下の順序で行うものとする。
１．第１の実施形態
１−１．表示装置の概略構成
１−２．色づきの発生原理
１−３．色づき抑制のための構成例
１−４．変形例
１−５．実施形態のまとめ
２．第２の実施形態
２−１．表示装置の概略構成
２−２．色づきの発生原理
２−３．色づき抑制のための構成例
２−４．変形例
２−５．実施形態のまとめ
３．電子機器に係る実施形態
４．本開示の他の実施形態
５．補足
【００１４】
（１．第１の実施形態）
（１−１．表示装置の概略構成）
まず、図１を参照して、本開示の第１の実施形態に係る表示装置の概略的な構成について説明する。図１は、本開示の第１の実施形態に係る表示装置の構成を概略的に示す図である。
【００１５】
図１を参照すると、表示装置１００は、ＬＣＤ（Liquid  Crystal  Display）１１０と、液晶レンズ１２０とを含む。表示装置１００は、視差を有する視点画像を観察者の左右の眼に呈示する立体表示装置である。なお、表示装置１００の構成は、例えば、位置が異なる複数の観察者にそれぞれ異なる視点画像を呈示する指向性表示装置にも容易に応用することが可能である。つまり、以下で説明する立体表示装置に係る実施形態と同様にして、指向性表示装置に係る実施形態も実現することが可能である。
【００１６】
ＬＣＤ１１０は、偏光板１１１，１１５と、端子基板１１２と、液晶層１１３と、カラーフィルタ基板１１４とを含む。ＬＣＤ１１０は、表示面に配置される画素によって画像を表示する表示素子の一例である。端子基板１１２上には、ＴＦＴ（Thin  Film  Transistor）と透明な画素電極とが配置され、カラーフィルタ基板１１４側に形成された透明な共通電極との間で液晶層１１３に電圧を印加する。これによって、カラーフィルタ基板１１４に形成されたカラーフィルタの各色に対応する領域ごとにバックライト（図示せず）からの光の透過が制御され、各画素の色が表現される。
【００１７】
液晶レンズ１２０は、端子基板１２１と、液晶層１２２と、対向基板１２３とを含む。液晶レンズ１２０は、表示素子の各画素に対応する光を空間的に分離させる光学素子の一例である。端子基板１２１上に配置された透明電極は、対向基板１２３側に配置された透明電極との間で液晶層１２２に電圧を印加して、液晶層１２２の光の屈折率を領域ごとに変化させる。これによって、液晶層１２２には等価的にレンチキュラレンズと同様のレンズ効果が発生し、ＬＣＤ１１０の各画素に対応する光が空間的に分離され、表示される画像が立体画像の表示のための２つの視点画像に分割される。なお、このレンチキュラレンズの主点が位置する面を、以下ではレンズ機能面ともいう。
【００１８】
（１−２．色づきの発生原理）
次に、図２を参照して、レンチキュラレンズを用いる表示装置における色づきの発生原理について説明する。図２は、レンチキュラレンズを用いる表示装置における色づきの発生原理について説明するための図である。
【００１９】
なお、以下の同様の図では、別途の言及がない限り、光学素子に含まれる光機能素子の延在方向に交差する方向での表示装置の断面図を示す。光学素子がレンチキュラレンズである場合、個々のシリンドリカルレンズが光機能素子にあたる。従って、図２〜図５では、これらのシリンドリカルレンズの延在方向に交差する方向での表示装置の断面図が示される。
【００２０】
また、本明細書において、「開口幅」または「集光幅」という場合の「幅」は、上記の光機能素子の延在方向に交差する方向での寸法を意味する。例えば、光学素子がレンチキュラレンズであったり、パララックスバリアであったりする場合、レンチキュラレンズであればシリンドリカルレンズが、パララックスバリアであればスリット（透過部分）が、特定の方向に延在している。従って、この延在方向に交差する方向の寸法として「幅」を定義することが可能である。なお、光学素子が、複数の方向にレンズが配列されるレンズアレイであるような場合、上記の「幅」は、「面積」と言い換えられてもよい。
【００２１】
図２を参照すると、液晶レンズ１２０の液晶層１２２によって等価的に実現されるシリンドリカルレンズ１２２Ｌを通過するＲ（赤色）、Ｇ（緑色）、Ｂ（青色）の３色の光は、それぞれＬＣＤ１１０の液晶層１１３付近に焦点をもつ。しかしながら、各色の光の間では波長が異なるため、シリンドリカルレンズ１２２Ｌにおける屈折率も異なる。それゆえ、シリンドリカルレンズ１２２Ｌにおける各色の光の焦点距離は、わずかながら異なる。
【００２２】
（ａ）に示されるように、この例では、液晶レンズ１２０の液晶層１２２と、ＬＣＤ１１０の液晶層１１３との間の距離が、Ｇ（緑色）の光のシリンドリカルレンズ１２２Ｌにおける焦点距離に整合するように、ＬＣＤ１１０と液晶レンズ１２０とが配置される。それゆえ、焦点距離がＧ（緑色）の光よりも長いＲ（赤色）の光の焦点は、液晶レンズ１２０側から見てＬＣＤ１１０の表示面よりも奥に位置する。一方、焦点距離がＧ（緑色）の光よりも短いＢ（青色）の光の焦点は、液晶レンズ１２０側から見てＬＣＤ１１０の表示面よりも手前に位置する。従って、各色の光では、表示面における集光幅Ｗが異なる（Ｗｇ（緑色）＜Ｗｂ（青色）＜Ｗｒ（赤色））。
【００２３】
ここで、図示されているように、カラーフィルタ基板１１４に形成されるカラーフィルタにおける画素の実質的な開口幅Ｔが、各色のサブ画素１１４Ｒ，１１４Ｇ，１１４Ｂで同じであるものとする（Ｔｒ（赤色）＝Ｔｇ（緑色）＝Ｔｂ（青色））。そうすると、各色の光の強度プロファイルでは、（ｂ）に示されるように、正面以外の観察位置では各色の間での差が大きくなる。より具体的には、正面以外の観察位置では、Ｇ（緑色）がより強く、Ｒ（赤色）がより弱く観察される。従って、このような表示装置で観察される立体画像には、多くの場合に色づきが発生することになる。
【００２４】
なお、レンズ機能面と表示面との間の距離は、例えばＬＣＤ１１０と液晶レンズ１２０との間に介されるスペーサによって調整することが可能である。従って、後述するように、この距離をＢ（青色）またはＲ（赤色）の光の焦点距離に整合させることもできる。しかしながら、この距離を他の色の光の焦点距離に合わせて調整したとしても、表示面における各色の光の集光幅Ｗが異なる以上、各色の画素の実質的な開口幅Ｔが同じであれば上記の例と同様にして色づきが発生してしまう。
【００２５】
（１−３．色づき抑制のための構成例）
次に、図３〜５を参照して、本開示の第１の実施形態に係る表示装置における色づき抑制のための構成例について説明する。図３〜５は、それぞれ、本開示の第１の実施形態に係る表示装置における色づき抑制のための構成の第１〜第３の例について説明するための図である。
【００２６】
（第１の例）
図３を参照すると、（ａ）に示されるように、レンズ機能面と表示面との間の距離がＧ（緑色）の光のシリンドリカルレンズ１２２Ｌにおける焦点距離に整合するように、ＬＣＤ１１０と液晶レンズ１２０とが配置される。上記で図２を参照して説明したように、この場合、表示面における各色の光の集光幅Ｗは、Ｗｇ（緑色）＜Ｗｂ（青色）＜Ｗｒ（赤色）になる。
【００２７】
さらに、この第１の例では、カラーフィルタ基板１１４に形成されるカラーフィルタにおける画素の実質的な開口幅Ｔが、Ｔｇ（緑色）＜Ｔｂ（青色）＜Ｔｒ（赤色）になるように設定される。これによって、画素の発光は、Ｒ（赤色）、Ｂ（青色）、Ｇ（緑色）の順で強くなる。かかる各色の開口幅Ｔは、レンズ機能面と表示面との距離が焦点距離に近く集光幅Ｗが小さい色ほど小さく設定されうる。つまり、表示装置１００では、開口幅Ｔの差によって、集光幅Ｗの差が補正される。従って、各色の光の強度プロファイルは、（ｂ）に示されるように、正面以外の観察位置でもほぼ均等になる。
【００２８】
なお、本実施形態のように、表示素子が透過型のディスプレイである場合、画素の実質的な開口幅Ｔは、例えばカラーフィルタにおける各色の開口幅のように、ディスプレイにおいて各色の光を透過させる領域の幅によって規定されうる。なお、ここで「実質的な開口幅」という用語は、「開口」が必ずしも物理的な開口、つまり空間が貫通している部分を意味するのではなく、光学的な開口、つまり遮光部分に囲繞された光の透過部分を意味することを示す。
【００２９】
（第２の例）
図４を参照すると、（ａ）に示されるように、レンズ機能面と表示面との間の距離がＢ（青色）の光のシリンドリカルレンズ１２２Ｌにおける焦点距離に整合するように、ＬＣＤ１１０と液晶レンズ１２０とが配置される。それゆえ、焦点距離がＢ（青色）の光よりも長いＧ（緑色）の光の焦点は、液晶レンズ１２０側から見てＬＣＤ１１０の表示面よりも奥に位置する。焦点距離がＧ（緑色）の光よりも長いＲ（赤色）の光の焦点は、それよりもさらに奥に位置する。従って、表示面における各色の光の集光幅Ｗは、Ｗｂ（青色）＜Ｗｇ（緑色）＜Ｗｒ（赤色）になる。
【００３０】
これに対応して、この第２の例では、カラーフィルタ基板１１４に形成されるカラーフィルタにおける画素の実質的な開口幅Ｔが、Ｔｂ（青色）＜Ｔｇ（緑色）＜Ｔｒ（赤色）になるように設定される。これによって、画素の発光は、Ｒ（赤色）、Ｇ（緑色）、Ｂ（青色）の順で強くなる。ここでも、各色の開口幅Ｔは、レンズ機能面と表示面との距離が焦点距離に近く集光幅Ｗが大きい色ほど小さく設定されうる。つまり、表示装置１００では、開口幅Ｔの差によって、集光幅Ｗの差が補正される。従って、各色の光の強度プロファイルは、（ｂ）に示されるように、正面以外の観察位置でもほぼ均等になる。
【００３１】
（第３の例）
図５を参照すると、（ａ）に示されるように、レンズ機能面と表示面との間の距離がＲ（赤色）の光のシリンドリカルレンズ１２２Ｌにおける焦点距離に整合するように、ＬＣＤ１１０と液晶レンズ１２０とが配置される。それゆえ、焦点距離がＲ（赤色）の光よりも短いＧ（緑色）の光の焦点は、液晶レンズ１２０側から見てＬＣＤ１１０の表示面よりも手前に位置する。焦点距離がＧ（緑色）の光よりも短いＢ（青色）の光の焦点は、それよりもさらに手前に位置する。従って、表示面における各色の光の集光幅Ｗは、Ｗｒ（赤色）＜Ｗｇ（緑色）＜Ｗｂ（青色）になる。
【００３２】
これに対応して、この第３の例では、カラーフィルタ基板１１４に形成されるカラーフィルタにおける画素の実質的な開口幅Ｔが、Ｔｒ（赤色）＜Ｔｇ（緑色）＜Ｔｂ（青色）になるように設定される。これによって、画素の発光は、Ｂ（青色）、Ｇ（緑色）、Ｒ（赤色）の順で強くなる。ここでも、各色の開口幅Ｔは、レンズ機能面と表示面との距離が焦点距離に近く集光幅Ｗが大きい色ほど小さく設定されうる。つまり、表示装置１００では、開口幅Ｔの差によって、集光幅Ｗの差が補正される。従って、各色の光の強度プロファイルは、（ｂ）に示されるように、正面以外の観察位置でもほぼ均等になる。
【００３３】
（１−４．変形例）
次に、図６を参照して、本開示の第１の実施形態の変形例について説明する。図６は、本開示の第１の実施形態の変形例における色づき抑制のための構成例について説明するための図である。
【００３４】
図６を参照すると、本変形例では、液晶レンズ１２０の液晶層１２２によって等価的に実現されるレンチキュラレンズにおいてシリンドリカルレンズ１２２Ｌが延在する方向と、ＬＣＤ１２０における画素の配列方向とが異なる。つまり、本変形例は、レンチキュラレンズの斜め配置の場合の例である。
【００３５】
図示された例では、上記の図３の例と同様に、レンズ機能面と表示面との間の距離がＧ（緑色）の光のシリンドリカルレンズ１２２Ｌにおける焦点距離に整合するように、ＬＣＤ１１０と液晶レンズ１２０とが配置される。この場合、表示面における各色の光の集光幅Ｗ（図示せず）は、Ｗｇ（緑色）＜Ｗｂ（青色）＜Ｗｒ（赤色）になる。
【００３６】
これに対応して、本変形例でも、図３の例と同様に、カラーフィルタ基板１１４に形成されるカラーフィルタにおける画素の実質的な開口幅Ｔが、Ｔｇ（緑色）＜Ｔｂ（青色）＜Ｔｒ（赤色）になるように設定される。ただし、この場合、画素の開口幅Ｔは、レンチキュラレンズにおいてシリンドリカルレンズ１２２Ｌが延在する方向を基準にして設定されることが望ましい。つまり、画素の開口幅Ｔは、表示面における各色の光の集光幅Ｗと同じ方向を基準にして規定されることが望ましい。
【００３７】
上記の変形例のように、光学機能素子の延在方向を基準にして画素の実質的な開口幅を変更することによって、本実施形態は、光学機能素子の延在方向と画素の配列方向とが一致しない場合にも適用可能である。もちろん、上記の変形例は、上記の第２および第３の例のように、レンズ機能面と表示面との間の距離がＧ（緑色）以外の光の焦点距離に合わせて調整される場合にも適用可能である。
【００３８】
（１−５．実施形態のまとめ）
以上で説明した本開示の第１の実施形態では、光学素子としてレンチキュラレンズが用いられる場合に、これによって生じる波長分散による各色の発色の差を補正するように、表示部における各色の開口幅が調整される。これによって、各色の強度プロファイルが均等化され、観察される画像における色づきが低減される。
【００３９】
なお、レンチキュラレンズは、上記の例のように液晶表示素子によって実現されるものであってもよいし、例えばガラスや樹脂などで形成される固定式のものであってもよい。ただし、液晶表示素子によるものの方が、材料自体の波長分散が大きいために、本実施形態の構成による効果はより顕著である。また、負の波長分散に応じて開口幅を調整することも可能であるため、上記の実施形態を回折型レンズに適用することも可能である。
【００４０】
レンチキュラレンズを用いる場合、表示面における各色の光の集光幅は、レンズ機能面と表示面との間の距離が、どの色の光の焦点距離に合わせて調整されるかによって異なる。例えば上記の第１〜第３の例のように、レンズ機能面と表示面との距離が焦点距離に近い色ほど開口幅を小さく設定することで、それぞれの場合に対応することが可能である。
【００４１】
また、本実施形態は、上記例のようにＲ（赤色）、Ｇ（緑色）、Ｂ（青色）の３色によって画素が構成される場合に限らず、例えば４色以上の色によって画素が構成される場合にも適用可能である。この場合も、各色の画素の開口幅は、上記の例と同様に、各色の光の焦点距離に基づいて設定されうる。
【００４２】
（２．第２の実施形態）
（２−１．表示装置の概略構成）
続いて、図７を参照して、本開示の第２の実施形態に係る表示装置の概略的な構成について説明する。図７は、本開示の第２の実施形態に係る表示装置の構成を概略的に示す図である。
【００４３】
図７を参照すると、表示装置２００は、ＬＣＤ１１０と、パララックスバリア２２０とを含む。表示装置２００は、視差を有する視点画像を観察者の左右の眼に呈示する立体表示装置である。なお、表示装置２００の構成は、例えば、位置が異なる複数の観察者にそれぞれ異なる視点画像を呈示する指向性表示装置にも容易に応用することが可能である。つまり、以下で説明する立体表示装置に係る実施形態と同様にして、指向性表示装置に係る実施形態も実現することが可能である。
【００４４】
ＬＣＤ１１０については、上記の第１の実施形態とほぼ同様の構成であるため、詳細な説明は省略する。
【００４５】
パララックスバリア２２０は、端子基板１２１と、液晶層２２２と、対向基板１２３と、偏光板２２４とを含む。パララックスバリア２２０は、表示素子の各画素に対応する光を空間的に分離させる光学素子の一例である。端子基板１２１上に配置された透明電極は、対向基板１２３側に配置された透明電極との間で液晶層２２２に電圧を印加して、液晶層２２２に光を透過させる透過部分と光を遮光する遮光部分とを表示させる。これによって、ＬＣＤ１１０の各画素に対応する光が空間的に分離され、表示される画像が立体画像の表示のための２つの視点画像に分割される。なお、この透過部分と遮光部分とが表示される面を、以下ではバリア機能面ともいう。
【００４６】
（２−２．色づきの発生原理）
次に、図８および図９を参照して、パララックスバリアを用いる表示装置における色づきの発生原理について説明する。図８は、パララックスバリアを用いる表示装置における色づきの発生原理について説明するための図である。図９は、図８の例における光の回折現象について説明するためのグラフである。
【００４７】
図８を参照すると、ＬＣＤ１１０を通過したＲ（赤色）、Ｇ（緑色）、Ｂ（青色）の３色の光は、パララックスバリア２２０の液晶層２２２に表示されるバリア２２２Ｂの透過部分であるスリットａを通過する。このとき、各色の光の間では波長が異なるため、スリットａにおける回折の状態に差が生じる。
【００４８】
図９は、Ｒ（赤色；波長６５０ｎｍ）、Ｇ（緑色；波長５５０ｎｍ）、Ｂ（青色；波長４５０ｎｍ）の３色の光について、光の広がり（回折の度合い）と強度との関係を示す。なお、図９の例では、開口部の幅が５０μｍ、開口部からスクリーン（光の観測面）までの距離が３０ｃｍである。グラフから明らかなように、回折現象は、より波長が長い光ほど大きく現れる。従って、Ｒ（赤色）、Ｇ（緑色）、Ｂ（青色）の順で光の広がりが大きくなる。かかる現象は、開口部の幅が狭くなるにつれて顕著になる。
【００４９】
それゆえ、図８の例でも、例えば表示装置の高精細化のために、数十μｍ程度であったスリットａの幅を更に狭くすると、バリア機能面と表示面との間、およびバリア機能面と観察位置との間での各色の光の回折状態の差が顕在化してくる。具体的には、Ｒ（赤色）の光の回折が最も大きく、Ｂ（青色）の光の回折が最も小さくなる。この結果、表示面における各色の光の集光幅Ｗは、Ｗｂ（青色）＜Ｗｇ（緑色）＜Ｗｒ（赤色）になる。
【００５０】
ここで、図示されているように、カラーフィルタ基板１１４に形成されるカラーフィルタにおける画素の実質的な開口幅Ｔが、各色のサブ画素１１４Ｒ，１１４Ｇ，１１４Ｂで同じであるものとする（Ｔｒ（赤色）＝Ｔｇ（緑色）＝Ｔｂ（青色））。そうすると、各色の光の強度プロファイルでは、（ｂ）に示されるように、正面以外の観察位置では各色の間での差が大きくなる。より具体的には、正面以外の観察位置では、Ｂ（青色）がより強く、Ｒ（赤色）がより弱く観察される。従って、このような表示装置で観察される立体画像には、多くの場合に色づきが発生することになる。
【００５１】
（２−３．色づき抑制のための構成例）
次に、図１０を参照して、本開示の第２の実施形態に係る表示装置における色づき抑制のための構成例について説明する。図１０は、本開示の第２の実施形態に係る表示装置における色づき抑制のための構成の例について説明するための図である。
【００５２】
図１０を参照すると、（ａ）に示されるように、カラーフィルタ基板１１４に形成されるカラーフィルタにおける画素の実質的な開口幅Ｔは、Ｔｂ（青色）＜Ｔｇ（緑色）＜Ｔｒ（赤色）になるように設定される。これによって、画素の発光は、Ｒ（赤色）、Ｇ（緑色）、Ｂ（青色）の順で強くなる。かかる各色の開口幅Ｔは、光の波長が短いために回折の度合いが小さく、それゆえ集光幅Ｗが小さい色ほど小さく設定されうる。つまり、表示装置２００では、開口幅Ｔの差によって、集光幅Ｗの差が補正される。従って、各色の光の強度プロファイルは、（ｂ）に示されるように、正面以外の観察位置でもほぼ均等になる。
【００５３】
（２−４．変形例）
次に、図１１を参照して、本開示の第２の実施形態の変形例について説明する。図１１は、本開示の第２の実施形態の変形例における色づき抑制のための構成例について説明するための図である。
【００５４】
図１１を参照すると、本変形例では、パララックスバリア２２０が、ＬＣＤ１１０の表示面側ではなく、背面側に配置される。つまり、上記の構成例の表示装置２００がフロントバリア型の立体表示装置であったのに対し、本変形例に係る表示装置はリアバリア型の表示装置である。
【００５５】
本変形例でも、観察者側にバリアを配置した場合と同様に、バリア機能面と表示面との間、およびバリア機能面と観察位置との間で、各色の光の間で回折状態の差が見られる。
【００５６】
そこで、本変形例でも、（ａ）に示されるように、カラーフィルタ基板１１４に形成されるカラーフィルタにおける画素の実質的な開口幅Ｔが、Ｔｂ（青色）＜Ｔｇ（緑色）＜Ｔｒ（赤色）になるように設定される。これによって、画素の発光は、Ｒ（赤色）、Ｇ（緑色）、Ｂ（青色）の順で強くなる。かかる各色の開口幅Ｔは、上記の構成例と同様に、光の波長が短いために集光幅Ｗが小さい色ほど小さく設定されうる。つまり、表示装置２００では、開口幅Ｔの差によって、集光幅Ｗの差が補正される。従って、各色の光の強度プロファイルは、（ｂ）に示されるように、正面以外の観察位置でもほぼ均等になる。
【００５７】
（２−５．実施形態のまとめ）
以上で説明した本開示の第２の実施形態では、光学素子としてパララックスバリアが用いられる場合に、これによって生じる波長分散による各色の発色の差を補正するように、表示部における各色の実質的な開口幅が調整される。これによって、各色の強度プロファイルが均等化され、観察される画像における色づきが低減される。
【００５８】
なお、パララックスバリアは、上記の例のように液晶表示素子によって実現されるものであってもよいし、例えばガラスや樹脂などで形成される固定式のものであってもよい。ただし、液晶表示素子によるものの方が、材料自体の波長分散が大きいために、本実施形態の構成による効果はより顕著である。また、図９を参照して説明したように、パララックスバリアのスリットの幅が狭くなるほど回折の影響は顕在化するため、本実施形態の構成による効果は大きくなる。
【００５９】
パララックスバリアを用いる場合、表示面における各色の光の集光幅は、原則的に各色の波長によって一意に定まる。そのため、各色の画素の実質的な開口幅は、光の波長が長い順に大きくなる。これは、上記のＲ（赤色）、Ｇ（緑色）、Ｂ（青色）の３色の場合には限られず、４色以上の色によって画素が構成される場合にも同様である。この場合も、各色の画素の実質的な開口幅は、各色の光の回折特性から特定される、表示面における各色の集光幅に基づいて設定されうる。
【００６０】
また、本実施形態を、上記の第１の実施形態の変形例のように、パララックスバリアのスリットの延在の方向と画素の配列方向とが一致しない、いわゆる斜めバリアの場合に適用することも可能である。この場合、画素の開口幅Ｔは、表示面における各色の光の集光幅Ｗと同じ方向を基準にして規定されることが望ましい。
【００６１】
（３．電子機器に係る実施形態）
次に、図１２および図１３を参照して、電子機器にかかる本開示の実施形態の例について説明する。
【００６２】
図１２は、本開示の実施形態に係る表示装置を有する電子機器の一例であるデジタルカメラの外観を示す図である。デジタルカメラ１０は、撮像部１１、操作部であるシャッターボタン１２、および表示部１３などを有する。表示部１３は、上記の実施形態で説明されたような本開示の実施形態に係る表示装置を用いて実現される。なお、表示部１３は、タッチスクリーンであってもよい。
【００６３】
図１３は、本開示の実施形態に係る表示装置を有する電子機器の別の例である携帯電話（スマートフォン）の外観を示す図である。携帯電話２０は、撮像部２１、操作部である操作ボタン２２、および表示部２３などを有する。表示部２３は、上記の実施形態で説明されたような本開示の実施形態に係る表示装置を用いて実現される。なお、表示部２３は、タッチスクリーンであってもよい。
【００６４】
（４．本開示の他の実施形態）
上記の実施形態では、ＬＣＤを用いた表示装置の実施形態について説明したが、本開示の実施形態はこれには限られない。例えば、ＬＣＤに代えて有機ＥＬ（Electro  Luminescence）ディスプレイなどの自発光型のディスプレイが用いられてもよい。このように、表示素子が自発光型のディスプレイである場合、画素の実質的な開口幅は、例えば下部電極と発光層との間の絶縁膜によって形成される開口部のように、ディスプレイにおける各色の発光領域の幅によって規定されうる。
【００６５】
（５．補足）
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００６６】
なお、以下のような構成も本開示の技術的範囲に属する。
（１）表示面に配置される画素によって画像を表示する表示素子と、
前記各画素に対応する光を空間的に分離させる光学素子と
を備え、
前記画素を構成する複数の色のそれぞれに対応する実質的な開口幅の差によって、前記光学素子によって生じる前記各色の間での前記表示面における集光幅の差が補正される表示装置。
（２）前記光学素子は、液晶表示装置である、前記（１）に記載の表示装置。
（３）前記光学素子は、レンチキュラレンズであり、
前記各色の前記レンチキュラレンズにおける焦点距離の差によって生じる前記集光幅の差が、前記開口幅の差によって補正される、前記（１）または（２）に記載の表示装置。
（４）前記開口幅は、前記各色のうち、前記光学素子の機能面と前記表示面との距離が前記焦点距離に近い色ほど小さく設定される、前記（３）に記載の表示装置。
（５）前記光学素子は、パララックスバリアであり、
前記各色の前記パララックスバリアの開口部における回折度の差によって生じる前記集光幅の差が、前記開口幅の差によって補正される、前記（１）または（２）に記載の表示装置。
（６）前記開口幅は、前記各色のうち、光の波長が短い色ほど小さく設定される、前記（５）に記載の表示装置。
（７）前記表示素子は、透過型ディスプレイであり、
前記開口幅は、前記透過型ディスプレイにおいて前記各色の光を透過させる領域の幅によって規定される、前記（１）〜（６）のいずれか１項に記載の表示装置。
（８）前記表示素子は、自発光型ディスプレイであり、
前記開口幅は、前記自発光型ディスプレイにおける前記各色の発光領域の幅によって規定される、前記（１）〜（６）のいずれか１項に記載の表示装置。
（９）  表示面に配置される画素によって画像を表示する表示素子と、
前記各画素に対応する光を空間的に分離させる光学素子と
を含み、
前記画素を構成する複数の色のそれぞれに対応する実質的な開口幅の差によって、前記光学素子によって生じる前記各色の間での前記表示面における集光幅の差が補正される表示装置
を備える電子機器。
【符号の説明】
【００６７】
１００，２００    表示装置
１１０    ＬＣＤ
１１３    液晶層
１１４    カラーフィルタ基板
１１４Ｒ，１１４Ｇ，１１４Ｂ    サブ画素
１２０    液晶レンズ
１２２，２２２    液晶層
１２２Ｌ    シリンドリカルレンズ
２２０    パララックスバリア
２２２Ｂ    バリア
１０，２０    電子機器
【図１】
0005746077.tif 000002
【図２】
0005746077.tif 000003
【図３】
0005746077.tif 000004
【図４】
0005746077.tif 000005
【図５】
0005746077.tif 000006
【図６】
0005746077.tif 000007
【図７】
0005746077.tif 000008
【図８】
0005746077.tif 000009
【図９】
0005746077.tif 000010
【図１０】
0005746077.tif 000011
【図１１】
0005746077.tif 000012
【図１２】
0005746077.tif 000013
【図１３】
0005746077.tif 000014